(57)【要約】【課題】フレームが破棄されることによる不具合の発生を抑える。【解決手段】ＭＡＣフレームにおけるアドレス部（ＭＡＣヘッダ）の末尾にＭＡＣヘッダの伝送誤りを検出するための伝送誤り検出符号（フレーム検査シーケンス＜ＦＣＳ＞）を付加して送信局（例えば、子機２）から送信する。受信局（例えば、親機１）では、受信したＭＡＣフレームのＭＡＣヘッダに付加されているフレーム検査シーケンスによってＣＰＵ部１０がＭＡＣヘッダ（アドレス部）のみの伝送誤り検出を行い、ＭＡＣヘッダに伝送誤りが検出された場合は当該ＭＡＣフレームを破棄する。一方、ＭＡＣヘッダに伝送誤りが検出されない場合はＭＡＣフレームの末尾に付加されているフレーム検査シーケンスによって伝送誤りが検出されてもＭＡＣフレームを破棄せずに当該ＭＡＣフレームのデータ部に格納されているデータ（映像データ又は音声データ）を採用する。【選択図】        図１
2010109611.tif 000002
【特許請求の範囲】
【請求項１】
データの送り先及びデータの送り元のアドレスを格納するアドレス部、伝送しようとするデータを格納するデータ部、伝送誤り検出のためのフレーム検査シーケンスを含むフレームを送信局から受信局へ伝送するデータ伝送方法において、
送信局においてアドレス部のみの伝送誤りを検出するための伝送誤り検出符号をアドレス部に挿入し、
受信局においては、当該伝送誤り検出符号によって伝送誤りが検出されれば当該フレームを破棄し、当該伝送誤り検出符号によって伝送誤りが検出されなければ、前記フレーム検査シーケンスによって伝送誤りが検出されても当該フレームを破棄しないことを特徴とするデータ伝送方法。
【請求項２】
受信局において、前記フレーム検査シーケンスによって検出される伝送誤りのビット誤り率が所定の閾値を超えている場合は当該フレームを破棄することを特徴とする請求項１記載のデータ伝送方法。
【請求項３】
受信局においては、互いに異なる複数の前記閾値のうちから、データ部に格納されているデータの種類に応じた閾値を選択し、前記ビット誤り率が当該閾値を超えている場合に当該フレームを破棄することを特徴とする請求項２記載のデータ伝送方法。
【請求項４】
送信局においてデータ部に格納されるデータは、映像データと音声データの少なくとも２種類のデータの何れか一方を含むことを特徴とする請求項３記載のデータ伝送方法。
【請求項５】
送信局において、フレームを破棄するか否かを指示するための指示フラグを当該フレームに挿入し、
受信局においては、前記フレーム検査シーケンスによって検出される伝送誤りのビット誤り率が所定の閾値を超えている場合、前記指示フラグによってフレームの破棄が指示されているときにのみ、当該フレームを破棄することを特徴とする請求項２〜４の何れか１項に記載のデータ伝送方法。
【請求項６】
送信局において、前記閾値をデータ部の前に挿入し、
受信局においては、フレームに挿入されている前記閾値と前記フレーム検査シーケンスによって検出される伝送誤りのビット誤り率とを比較することを特徴とする請求項２記載のデータ伝送方法。
【請求項７】
請求項１〜６のデータ伝送方法によってデータ伝送を行う送信局及び受信局を備えたことを特徴とするデータ伝送システム。
【発明の詳細な説明】
【技術分野】
【０００１】
本発明は、データ伝送方法、並びにかかるデータ伝送方法によってデータを伝送するデータ伝送システムに関するものである。
【背景技術】
【０００２】
従来のデータ伝送システムとして、特許文献１に記載されている映像伝送システムなどがある。特許文献１に記載されている従来システムは、多値のディジタル変調方式で映像信号を変調して伝送することにより、従来のアナログ伝送方式のインターホンシステムに用いられているペア線やインターホン線のような伝送帯域の狭い平衡伝送路を用いても映像をリアルタイムに伝送することを可能としている。
【特許文献１】特開２００５−１９７７９０号公報
【発明の開示】
【発明が解決しようとする課題】
【０００３】
ところで、伝送されるフレームのフレームフォーマットは、一般的に、フレーム同期用の同期部、データの送り先及びデータの送り元のアドレスを格納するアドレス部、伝送しようとするデータを格納するデータ部、伝送誤り検出のためのフレーム検査シーケンスを含んでいる。そして、受信局においては、前記フレーム検査シーケンスによって伝送誤りを検出したら当該フレームを破棄している。
【０００４】
しかしながら、特許文献１に記載されている従来例のように、映像をリアルタイムで伝送して表示させる必要があるシステムにおいては、伝送誤りが生じたフレームを破棄してフレームが再送されるまで待っていると、映像の再生（表示）に支障を来す虞がある。
【０００５】
本発明は上記事情に鑑みて為されたものであり、その目的は、フレームが破棄されることによる不具合の発生を抑えることができるデータ伝送方法並びにデータ伝送システムを提供することにある。
【課題を解決するための手段】
【０００６】
請求項１の発明は、上記目的を達成するために、データの送り先及びデータの送り元のアドレスを格納するアドレス部、伝送しようとするデータを格納するデータ部、伝送誤り検出のためのフレーム検査シーケンスを含むフレームを送信局から受信局へ伝送するデータ伝送方法において、送信局においてアドレス部のみの伝送誤りを検出するための伝送誤り検出符号をアドレス部に挿入し、受信局においては、当該伝送誤り検出符号によって伝送誤りが検出されれば当該フレームを破棄し、当該伝送誤り検出符号によって伝送誤りが検出されなければ、前記フレーム検査シーケンスによって伝送誤りが検出されても当該フレームを破棄しないことを特徴とする。
【０００７】
請求項１の発明によれば、軽微な伝送誤り、例えば、映像データのように走査線１本分のデータのみに生じた伝送誤りであれば、アドレス部に格納されているアドレスに間違い（伝送誤り）のない限り、伝送誤りが生じたフレームを破棄せずに当該フレームのデータ部に格納されているデータを採用することで当該フレームの再送を待つことによる不具合の発生を抑えることができる。
【０００８】
請求項２の発明は、請求項１の発明において、受信局において、前記フレーム検査シーケンスによって検出される伝送誤りのビット誤り率が所定の閾値を超えている場合は当該フレームを破棄することを特徴とする。
【０００９】
請求項２の発明によれば、軽微でない伝送誤り、すなわち、ビット誤り率が所定の閾値を超える伝送誤りが生じていれば、当該フレームを受け取らずに破棄することで誤ったデータによる別の不具合の発生を防ぐことができる。
【００１０】
請求項３の発明は、請求項２の発明において、受信局においては、互いに異なる複数の前記閾値のうちから、データ部に格納されているデータの種類に応じた閾値を選択し、前記ビット誤り率が当該閾値を超えている場合に当該フレームを破棄することを特徴とする。
【００１１】
請求項３の発明によれば、データの種類によって許容されるビット誤り率が異なると考えられるので、データの種類に応じて閾値を動的に変更することで誤ったデータによる別の不具合の発生を確実に防ぐことができる。
【００１２】
請求項４の発明は、請求項３の発明において、送信局においてデータ部に格納されるデータは、映像データと音声データの少なくとも２種類のデータの何れか一方を含むことを特徴とする。
【００１３】
請求項５の発明は、請求項２〜４の何れか１項の発明において、送信局において、フレームを破棄するか否かを指示するための指示フラグを当該フレームに挿入し、受信局においては、前記フレーム検査シーケンスによって検出される伝送誤りのビット誤り率が所定の閾値を超えている場合、前記指示フラグによってフレームの破棄が指示されているときにのみ、当該フレームを破棄することを特徴とする。
【００１４】
請求項６の発明は、請求項２の発明において、送信局において、前記閾値をデータ部の前に挿入し、受信局においては、フレームに挿入されている前記閾値と前記フレーム検査シーケンスによって検出される伝送誤りのビット誤り率とを比較することを特徴とする。
【００１５】
請求項７の発明は、上記目的を達成するために、請求項１〜６のデータ伝送方法によってデータ伝送を行う送信局及び受信局を備えたことを特徴とする。
【００１６】
請求項７の発明によれば、請求項１の発明と同様の作用を奏するデータ伝送システムが提供できる。
【発明の効果】
【００１７】
本発明によれば、フレームが破棄されることによる不具合の発生を抑えることができるデータ伝送方法並びにデータ伝送システムが提供できる。
【発明を実施するための最良の形態】
【００１８】
以下、図面を参照して本発明に係るデータ伝送方法並びにデータ伝送システムの実施形態を詳細に説明する。但し、本実施形態では有線の伝送路を介して映像データと音声データを伝送するインターホンシステムに本発明の技術思想を適用した場合を例示しているが、本発明の技術思想が適用可能なデータ伝送システムはインターホンシステムに限定されるものではない。
【００１９】
図１に示すように、本実施形態のインターホンシステムは、住戸内に設置されるインターホン親機１と住戸外に設置されるインターホン子機２で構成される。インターホン子機（以下、「子機」と略す。）２は、ＣＰＵやメモリなどを具備するＣＰＵ部２０と、音声を入出力する音声入出力部２１と、来訪者を撮像する撮像部２２と、呼出釦などの操作釦を有する操作入力部２３と、伝送路Ｌｓを介してインターホン親機（以下、「親機」と略す。）１との間でデータ伝送を行う通信部２４とを備えている。
【００２０】
音声入出力部２１は、マイクロホンで集音した音声をＡ／Ｄ変換した後にＰＣＭなどの所定の符号化方式で符号化した音声データをＣＰＵ部２０に出力するとともに、ＣＰＵ部２０から入力される音声データを復号化した後にＤ／Ａ変換したアナログの音声信号でスピーカを駆動して音声を鳴動させる。
【００２１】
撮像部２２は、ＣＣＤイメージセンサやＣＭＯＳイメージセンサなどの固体撮像素子から出力されるディジタルの映像信号（例えば、ディジタルＹＵＶ信号など）をＣＰＵ部２０に渡している。
【００２２】
操作入力部２３は、来訪者によって操作される呼出釦を有し、呼出釦が操作されたときにＣＰＵ部２０へ呼出操作信号を出力する。
【００２３】
ＣＰＵ部２０は、子機２全体の動作制御を行う制御機能や、撮像部２２から渡されるディジタル映像信号をＭＰＥＧ−４やＨ．２６４などの所定の圧縮符号化方式で符号化した映像データを生成する映像信号処理機能、データ伝送に必要なプロトコル・スタック（後述する）などが実装されている。
【００２４】
通信部２４は、ＣＰＵ部２０で生成されるフレーム（後述する）をＱＡＭなどの多値変調方式で一次変調する一次変調処理、一次変調されたフレームを直交周波数分割多重（ＯＦＤＭ）方式などのマルチキャリア適応変調方式で二次変調する二次変調処理、二次変調された伝送信号を伝送路Ｌｓを介して送信するとともに伝送路Ｌｓを介して伝送信号を受信する送受信機能、受信した伝送信号から多値変調（一次変調）されているフレームを復調する第１の復調処理、多値変調されているフレームから元のフレームを復調する第２の復調処理を行う。
【００２５】
一方、親機１は、ＣＰＵやメモリなどを具備するＣＰＵ部１０と、音声を入出力する音声入出力部１１と、映像を表示する映像表示部１２と、応答釦などの操作釦を有する操作入力部１３と、伝送路Ｌｓを介して子機２との間でデータ伝送を行う通信部１４とを備えている。
【００２６】
音声入出力部１１は、マイクロホンで集音した音声をＡ／Ｄ変換した後にＰＣＭなどの所定の符号化方式で符号化した音声データをＣＰＵ部１０に出力するとともに、ＣＰＵ部１０から入力される音声データを復号化した後にＤ／Ａ変換したアナログの音声信号でスピーカを駆動して音声を鳴動させる。
【００２７】
映像表示部１２は、液晶ディスプレイなどの表示デバイスと当該表示デバイスを駆動する駆動回路などを有し、後述するようにＣＰＵ部１０から出力される映像信号によって駆動回路が表示デバイスを駆動することで表示デバイスに映像（子機２の撮像部２２で撮像された動画像）を表示する。
【００２８】
操作入力部１３は、応答釦を有し、応答釦が操作されたときにＣＰＵ部１０へ応答操作信号を出力する。
【００２９】
ＣＰＵ部１０は、親機１全体の動作制御を行う制御機能や、子機２から受け取った映像データからディジタル映像信号を復号化して映像表示部１２に出力する映像信号処理機能、データ伝送に必要なプロトコル・スタック（後述する）などが実装されている。
【００３０】
通信部１４は、子機２の通信部１４と共通の処理、すなわち、ＣＰＵ部１０で生成されるフレーム（後述する）をＱＡＭなどの多値変調方式で一次変調する一次変調処理、一次変調されたフレームを直交周波数分割多重（ＯＦＤＭ）方式などのマルチキャリア適応変調方式で二次変調する二次変調処理、二次変調された伝送信号を伝送路Ｌｓを介して送信するとともに伝送路Ｌｓを介して伝送信号を受信する送受信機能、受信した伝送信号から多値変調（一次変調）されているフレームを復調する第１の復調処理、多値変調されているフレームから元のフレームを復調する第２の復調処理を行う。
【００３１】
ここで、親機１のＣＰＵ部１０及び子機２のＣＰＵ部２０に実装されているプロトコル・スタックは、トランスポート層のプロトコルとしてＴＣＰ／ＵＤＰ、ネットワーク層のプロトコルとしてＩＰを有している。したがって、ＣＰＵ部１０（２０）の送信処理においては、伝送しようとするデータ（親機１のＣＰＵ部１０では音声データのみ、子機２のＣＰＵ部２０では音声データと映像データ）を分割してトランスポート層のフレーム（ＴＣＰ／ＵＤＰフレーム）のデータ部（データフィールド）に格納するとともに、当該ＴＣＰ／ＵＤＰフレームをネットワーク層のフレーム（ＩＰフレーム）にカプセル化し、さらに、ＩＰフレームの先頭にデータリンク層（ＭＡＣ層）のヘッダ（ＭＡＣヘッダ）を付加するとともにＩＰフレームの末尾に伝送誤り検出符号（ＦＣＳ：フレーム検査シーケンス）を付加することでデータリンク層のフレーム（ＭＡＣフレーム）を作成している。一方、ＣＰＵ部１０（２０）の受信処理においては、通信部１４（２４）から渡されるＭＡＣフレームからＩＰフレームを取り出し、さらにＩＰフレームからＴＣＰ／ＵＤＰフレームを取り出すとともに、ＴＣＰ／ＵＤＰフレームのデータ部に格納されているデータ（音声データ又は映像データ）を取り出して通話や映像の表示に必要な処理を行う。
【００３２】
通信部１４（２４）においては、ＣＰＵ部１０（２０）で生成されたＭＡＣフレームを一次変調及び二次変調して作成した伝送信号を伝送路Ｌｓに送出し、且つ伝送路Ｌｓから取り込んだ伝送信号に対して第１及び第２の復調処理を行うことで得られるＭＡＣフレームをＣＰＵ部１０（２０）に渡している。さらに送信側（送信局）の通信部１４（２４）では、伝送路Ｌｓの伝送特性に応じて二次変調で使用するサブキャリア毎の一次変調方式（多値度）を適応的に選択する処理も行っており、サブキャリア毎に選択された一次変調方式（多値度）の情報を受信側（受信局）に知らせるためのヘッダ（ＰＨＹヘッダ）をＭＡＣフレームの先頭に付加している（図２参照）。
【００３３】
図２は、本実施形態におけるフレームフォーマットを示している。図１では伝送路Ｌｓに親機１と子機２が１台ずつ接続されているシステム構成を例示しているが、複数台の親機１並びに子機２が伝送路Ｌｓに接続され、任意の親機１と子機２の組み合わせ、あるいは親機１同士の組み合わせで映像データや音声データを伝送することもできる。そのため、親機１の通信部１４と子機２の通信部２４には固有のアドレス（ＭＡＣアドレス）が割り当てられており、送信側（送信局）の通信部１４（又は２４）のＭＡＣアドレスがＭＡＣヘッダの送信元ＭＡＣアドレスフィールドに格納され、受信側（受信局）の通信部２４（又は１４）のＭＡＣアドレスがＭＡＣヘッダの宛先ＭＡＣアドレスフィールドに格納される。故に、伝送路Ｌｓを介して伝送されるＭＡＣフレームは宛先ＭＡＣアドレスに一致するＭＡＣアドレスが割り当てられている受信局（親機１又は子機２）のみに受信されることになる。尚、ＭＡＣヘッダのタイプフィールドには、ＭＡＣフレームにカプセル化されている上位プロトコルのフレーム（ＩＰフレーム及びＴＣＰ／ＵＤＰフレーム）の種類を示す情報が格納されている。
【００３４】
ここで、通常のＭＡＣフレームは、末尾に付加されているＦＣＳ（フレーム検査シーケンス）に基づいてＣＰＵ部１０（２０）により伝送誤りが検出されると破棄されるのであるが、本実施形態のように映像や音声をリアルタイムで伝送して表示並びに鳴動させる必要があるシステムにおいては、伝送誤りが生じたフレームを破棄して当該フレームが再送されるまで待っていると、映像の再生（表示）や音声の鳴動（通話）に支障を来す虞がある。一方、軽微な伝送誤り、例えば、映像データにおける走査線１本分のデータのみに生じた伝送誤りであれば、当該フレームのデータ部に格納されているデータを採用して映像を表示させても実使用上は大きな問題とならず、むしろ、当該フレームの再送を待って映像表示が滞るよりも好ましいと考えられる。
【００３５】
そこで本実施形態では、図２に示すようにＭＡＣフレームにおけるアドレス部（ＭＡＣヘッダ）の末尾にＭＡＣヘッダの伝送誤りを検出するための伝送誤り検出符号（フレーム検査シーケンス＜ＦＣＳ＞）を付加して送信局（例えば、子機２）から送信している。そして、受信局（例えば、親機１）においては、受信したＭＡＣフレームのＭＡＣヘッダに付加されているフレーム検査シーケンスによってＣＰＵ部１０がＭＡＣヘッダ（アドレス部）のみの伝送誤り検出を行い、ＭＡＣヘッダに伝送誤りが検出された場合は当該ＭＡＣフレームを破棄するが、ＭＡＣヘッダに伝送誤りが検出されない場合はＭＡＣフレームの末尾に付加されているフレーム検査シーケンスによって伝送誤りが検出されてもＭＡＣフレームを破棄せずに当該ＭＡＣフレームのデータ部に格納されているデータ（映像データ又は音声データ）を採用するようにしている。
【００３６】
次に、本実施形態の基本的な動作を説明する。
【００３７】
まず、来訪者が子機２の呼出釦を操作すると、操作入力部２３からＣＰＵ部２０に呼出操作信号が出力される。呼出操作信号を受け取ったＣＰＵ部２０は、呼出コマンドをデータ部に格納したＭＡＣフレームを生成して通信部２４に渡した後、撮像部２２から出力される映像信号から作成した映像データをデータ部に格納したＭＡＣフレームを生成して通信部２４に渡す。尚、これらのＭＡＣフレームにおいては、ＭＡＣヘッダの宛先ＭＡＣアドレスフィールドに親機１の通信部１４に割り当てられているＭＡＣアドレスが格納され、送信元ＭＡＣアドレスフィールドには子機２の通信部２４に割り当てられているＭＡＣアドレスが格納される。通信部２４では、ＣＰＵ部２０から渡されるＭＡＣフレームの先頭にＰＨＹヘッダを付加したフレームを一次変調及び二次変調して作成した伝送信号を伝送路Ｌｓに送出する。
【００３８】
伝送路Ｌｓに送出された伝送信号は親機１の通信部１４で受信される。通信部１４では、受信した伝送信号に対して第１及び第２の復調処理を行うことで得られるＭＡＣフレームをＣＰＵ部１０に渡す。親機１のＣＰＵ部１０は、通信部１４から渡されるＭＡＣフレームのＭＡＣヘッダに付加されているフレーム検査シーケンスによって伝送誤り検出を行い、ＭＡＣヘッダに伝送誤りが検出された場合、若しくはＭＡＣヘッダの宛先ＭＡＣアドレスフィールドに格納されているＭＡＣアドレスが通信部１４に割り当てられているＭＡＣアドレスに一致しない場合は当該ＭＡＣフレームを破棄する。一方、ＭＡＣヘッダに伝送誤りが検出されず、且つＭＡＣヘッダの宛先ＭＡＣアドレスフィールドに格納されているＭＡＣアドレスが通信部１４に割り当てられているＭＡＣアドレスに一致すれば、ＣＰＵ部１０は当該ＭＡＣフレームのデータ部に格納されている呼出コマンドや映像データを取得する。そしてＣＰＵ部１０では、呼出コマンドに応じて音声入出力部１１のスピーカから呼出音を鳴動させるとともに、映像データからディジタル映像信号を復号化して映像表示部１２に出力することで来訪者の映像を表示デバイスに表示させる。
【００３９】
映像表示部１２に表示された映像で来訪者を確認した住戸の住人が応答釦を操作すると、操作入力部１３からＣＰＵ部１０に応答操作信号が出力される。応答操作信号を受け取ったＣＰＵ部１０は、音声入出力部１１から出力される音声データをデータ部に格納し、ＭＡＣヘッダの宛先ＭＡＣアドレスフィールドに子機２の通信部２４に割り当てられているＭＡＣアドレスを格納するとともに、送信元ＭＡＣアドレスフィールドに親機１の通信部１４に割り当てられているＭＡＣアドレスを格納したＭＡＣフレームを生成して通信部１４に渡す。通信部１４では、ＣＰＵ部１０から渡されるＭＡＣフレームの先頭にＰＨＹヘッダを付加したフレームを一次変調及び二次変調して作成した伝送信号を伝送路Ｌｓに送出する。
【００４０】
伝送路Ｌｓに送出された伝送信号は子機２の通信部２４で受信される。通信部２４では、受信した伝送信号に対して第１及び第２の復調処理を行うことで得られるＭＡＣフレームをＣＰＵ部２０に渡す。子機２のＣＰＵ部２０は、通信部２４から渡されるＭＡＣフレームのＭＡＣヘッダに付加されているフレーム検査シーケンスによって伝送誤り検出を行い、ＭＡＣヘッダに伝送誤りが検出された場合、若しくはＭＡＣヘッダの宛先ＭＡＣアドレスフィールドに格納されているＭＡＣアドレスが通信部２４に割り当てられているＭＡＣアドレスに一致しない場合は当該ＭＡＣフレームを破棄する。一方、ＭＡＣヘッダに伝送誤りが検出されず、且つＭＡＣヘッダの宛先ＭＡＣアドレスフィールドに格納されているＭＡＣアドレスが通信部２４に割り当てられているＭＡＣアドレスに一致すれば、ＣＰＵ部２０は当該ＭＡＣフレームのデータ部に格納されている音声データを取得し、当該音声データを音声入出力部２１に出力する。音声入出力部２１では、ＣＰＵ部２０から入力される音声データを復号化した後にＤ／Ａ変換したアナログの音声信号でスピーカを駆動して音声（住人の通話音声）を鳴動させる。
【００４１】
上述のようにして子機２から親機１に対して映像データと音声データが伝送されるとともに、親機１から子機２に対して音声データが伝送されることにより、親機１と子機２との間で住人と来訪者による通話が行われると同時に、子機２の撮像部２２で撮像された来訪者の映像が親機１の映像表示部１２に表示される。
【００４２】
ところで、伝送信号（ＭＡＣフレーム）に生じる伝送誤りが軽微でない場合、すなわち、映像や音声に実使用上の大きな問題（来訪者が判別できないとか、音声が聞き取れないなどの問題）が生じる場合には、当該ＭＡＣフレームを破棄することが望ましい。故に、本実施形態ではＭＡＣフレームの末尾に付加されているフレーム検査シーケンスによって検出される伝送誤りのビット誤り率（ＢＥＲ）が所定の閾値を超えているか否かをＣＰＵ部１０，２０で判断し、ビット誤り率が閾値を超えている場合はＭＡＣフレームに生じる伝送誤りが軽微でないとみなして当該ＭＡＣフレームを破棄している。このように軽微でない伝送誤り、すなわち、ビット誤り率が所定の閾値を超える伝送誤りが生じていれば、当該ＭＡＣフレームを受け取らずに破棄することで誤ったデータによる別の不具合（来訪者が判別できないとか、音声が聞き取れないなどの不具合）の発生を防ぐことができる。
【００４３】
ここで、データの種類によって許容されるビット誤り率が異なると考えられるので、例えば、映像データに対するビット誤り率の閾値と音声データに対するビット誤り率の閾値とを別々に設定することが望ましい。故に、受信局である親機１及び子機２のＣＰＵ部１０，２０において、映像データに対応した閾値と音声データに対応した閾値をメモリに記憶しておき、受信したＭＡＣフレームのデータ部に格納されているデータの種類に応じた閾値を選択し、当該ＭＡＣフレームのビット誤り率が選択した閾値を超えている場合に当該ＭＡＣフレームを破棄する。このようにすれば、データの種類に応じて閾値を動的に変更することで誤ったデータによる別の不具合の発生を確実に防ぐことができる。但し、ビット誤り率の閾値を親機１及び子機２のＣＰＵ部１０，２０のメモリに予め記憶しておく代わりに、送信局となる親機１又は子機２のＣＰＵ部１０，２０が送信しようとするＭＡＣフレームのデータ部の前に閾値の情報を挿入し、受信局となる親機１又は子機２のＣＰＵ部１０，２０が受信したＭＡＣフレームに挿入されている前記閾値とビット誤り率とを比較するようにしても構わない。
【００４４】
さらに、送信局となる親機１又は子機２のＣＰＵ部１０，２０において、ビット誤り率が閾値を超えている場合にＭＡＣフレームを破棄するか否かを指示するための指示フラグを当該ＭＡＣフレームに挿入しておき、受信局となる親機１又は子機２のＣＰＵ部１０，２０においては、ビット誤り率が閾値を超えている場合、前記指示フラグによってフレームの破棄が指示されているときにのみ、当該ＭＡＣフレームを破棄するようにしても構わない。
【００４５】
ところで、本実施形態のインターホンシステムは、図３に示すようなホームネットワークシステムを構成するサブシステムの一つに位置付けられる。図示例では、インターホンシステムの他に、ネットワーク通信機能を有するテレビ受像機ＴＶやビデオ録画再生機ＶＲや音響機器ＡＤなどからなる音響・映像（ＡＶ）システムやパーソナル・コンピュータＰＣなどをサブシステムとして備えるとともに、照明器具や空調機器などの住宅設備機器Ｘ並びにこれらの住宅設備機器Ｘを制御する住宅設備制御装置Ｃからなる住宅設備制御システムをサブシステムとして備えている。そして、これらのサブシステムに属する各端末（親機１や子機２、テレビ受像機ＴＶや住宅設備制御装置Ｃなど）にはネットワークアドレスとしてＩＰアドレスが割り当てられており、異なるサブシステムに属する端末同士の間においても、ＩＰアドレスを指定してデータ伝送を行うことができる。例えば、インターホンシステムに属する子機２からＡＶシステムに属するテレビ受像機ＴＶに映像データを含むフレームを伝送し、子機２で撮像された来訪者の映像をテレビ受像機ＴＶの画面に表示することが可能である。
【００４６】
さらに、図示例ではサブシステムの端末はモデム付のルータＲが具備する複数の通信ポートにそれぞれ伝送路Ｌｓ（例えば、カテゴリ６のＬＡＮケーブル）を介して接続されている。ルータＲは、電話線やＣＡＴＶの同軸ケーブル若しくは光ファイバなどの通信媒体を介してインターネットに接続されており、サブシステムの端末から送信されるフレームをインターネットを介してサーバＳに送信するとともに、インターネットを介してサーバＳから送信されるフレームをサブシステムの端末に転送する役割を果たしている。例えば、インターホンシステムの子機２で撮像された来訪者の映像データをルータＲからサーバＳに送信し、当該住戸の住人が携帯する通信端末（例えば、携帯電話機）にサーバＳから当該映像データを転送することによって、留守中に訪れた来訪者の映像を携帯電話機の画面に表示して確認することができる。さらには、サーバＳを経由して携帯電話機とインターホンシステムとの間で音声データを授受することで携帯電話機と子機２を使って住人と来訪者が通話することも可能である。
【図面の簡単な説明】
【００４７】
【図１】本発明に係るデータ伝送システムをインターホンシステムに適用した実施形態のシステム構成図である。
【図２】同上におけるフレームの説明図である。
【図３】本発明に係るデータ伝送システムをサブシステムとするホームネットワークシステムのシステム構成図である。
【符号の説明】
【００４８】
１  インターホン親機（送信局，受信局）
２  インターホン子機（送信局，受信局）
１０，２０  ＣＰＵ部
１１，２１  音声入出力部
１２  映像表示部
１３，２４  通信部
２２  撮像部
【図１】
2010109611.tif 000003
【図２】
2010109611.tif 000004
【図３】
2010109611.tif 000005